(57)【特許請求の範囲】
【請求項１】
光配線盤内に収納され隣接して配設される複数のアダプタに対して離脱可能に接続される複数の光コネクタの直上を覆う光コネクタカバーであって、
前記光コネクタカバーを前記光コネクタの数に応じて前記アダプタが配設されて並んでいる配設方向の直線を中心として可動部と固定部とに区画され、この可動部を前記直線から直交方向に分割して複数の可動カバーを形成し、該複数の可動カバーを前記光コネクタ毎に開閉可能とするとともに、
前記可動カバーの幅は、前記光コネクタのサイズに応じて調整可能とされている、
ことを特徴とする光コネクタカバー。
【請求項２】
前記複数の光コネクタが二段重ねの構造では、第一の仕切り壁によって前記光コネクタカバーと平行する水平方向にそれぞれ段の間が区画されていることを特徴とする請求項１に記載の光コネクタカバー。
【請求項３】
前記複数の光コネクタは、第二の仕切り壁によって前記光コネクタカバーに対して垂直方向にそれぞれ区画されていることを特徴とする請求項１に記載の光コネクタカバー。
【請求項４】
前記可動カバーの上面には、名札が着脱可能に取付けられていることを特徴とする請求項１に記載の光コネクタカバー。
【請求項５】
隣接して配設される複数のアダプタと、前記複数のアダプタに対して離脱可能に接続される複数の光コネクタとを有する光配線盤において、請求項１〜４のいずれか１項に記載された光コネクタカバーを備えたことを特徴とする光配線盤。
【発明の詳細な説明】
【技術分野】
【０００１】
この発明は、光通信に用いられる光配線盤に関し、とくに作業対象以外の光コネクタを誤ってアダプタから引抜くのを防止する光コネクタカバーおよびこの光コネクタを用いた光配線盤に関する。
【背景技術】
【０００２】
光通信においては、光ケーブルを接続するため光配線盤が用いられている。光配線盤は、引き出し可能な複数のトレイを有しており、各トレイ内には光ファイバ同士を接続するためのアダプタと光コネクタとが収納されている。
【０００３】
図７は、従来の光配線盤の一例を示しており、光配線盤１には上下方向に区画された複数の棚２が形成されている。各棚２にはトレイ２が引き出し可能に収納されている。トレイ２内には、支持板４と保持具５が固定されている。支持板４には、アダプタ６が取付けられており、アダプタ６の左右の差込口には光コネクタ７が離脱可能に接続されている。光コネクタ７には、光ファイバ８が接続されており、光ファイバ８は保持具５によって保持された状態で光配線盤１内に延びている。
【０００４】
図８は、図７の光配線盤における光コネクタ７の抜き差し作業をする際の状態を示している。例えば、光回線の断線や回線速度の変更に伴う作業の際には、対象となる光コネクタ７のみがアダプタ６から引抜かれる。そして、これらの作業においては、光コネクタ７の抜き差しが頻繁に行われることから、作業対象外の光コネクタ７には赤色などの粘着テープ１０、１１を貼り付けてマーキングを実施し、作業対象以外の光コネクタ７を誤ってアダプタ６から引抜かないよう注意喚起を促している。
【０００５】
光コネクタと接続される光ファイバの収納に関する技術として、下記の特許文献が知られている。この特許文献の光コネクタ収納ケースは、光コネクタと接続される光ファイバの余長部分が湾曲した状態で収納ケース内に収納されており、余長部分により光コネクタの引き出しが可能となっている。
【特許文献１】特開平１１−２３１１４９号公報
【発明の開示】
【発明が解決しようとする課題】
【０００６】
しかし、図８に示すように、粘着テープ１０、１１を光コネクタ７に貼り付けてマーキングする方法では、粘着テープ１０、１１を取外す際に光コネクタ７に曲げ力が作用し、光通信機能に支障をきたすおそれがある。すなわち、光ファイバ８同士の接続は非常に高精度を要求されるものであり、光コネクタ７に曲げ荷重が作用すると、光軸のずれにより光ファイバ８同士の良好な接続が得られなくなり、通信障害が発生するおそれがある。
【０００７】
そこでこの発明は、作業対象以外の光コネクタを誤ってアダプタから引抜かないようすることができ、しかも通信障害が発生するおそれのない光コネクタカバーおよびこの光コネクタを用いた光配線盤を提供することを目的とする。
【課題を解決するための手段】
【０００８】
上記目的を達成するために請求項１に記載の発明は、光配線盤内に収納され隣接して配設される複数のアダプタに対して離脱可能に接続される複数の光コネクタの直上を覆う光コネクタカバーであって、前記光コネクタカバーを前記光コネクタの数に応じて前記アダプタが配設されて並んでいる配設方向の直線を中心として可動部と固定部とに区画され、この可動部を前記直線から直交方向に分割して複数の可動カバーを形成し、該複数の可動カバーを前記光コネクタ毎に開閉可能とするとともに、前記可動カバーの幅は、前記光コネクタのサイズに応じて調整可能とされている、ことを特徴とする光コネクタカバーである。
【０００９】
この発明によれば、複数の光コネクタのうち特定の光コネクタを取外す際は、特定の光コネクタと対応する可動カバーのみが開かれ、特定の光コネクタのみをアダプタから間違いなく取外すことが可能となる。また、光コネクタには粘着テープを貼り付けられないので、光コネクタに曲げ荷重が作用することもない。
【００１０】
請求項２に記載の発明は、請求項１に記載の光コネクタカバーにおいて、前記複数の光コネクタは、第一の仕切り壁によって水平方向にそれぞれ区画されていることを特徴としている。
【００１１】
請求項３に記載の発明は、請求項１に記載の光コネクタカバーにおいて、前記複数の光コネクタは、第二の仕切り壁によって垂直方向にそれぞれ区画されていることを特徴としている。
【００１３】
請求項４に記載の発明は、請求項１に記載の光コネクタカバーにおいて、前記可動カバーの上面には、名札が着脱可能に取付けられていることを特徴としている。
【００１４】
請求項５に記載の発明は、隣接して配設される複数のアダプタと、前記複数のアダプタに対して離脱可能に接続される複数の光コネクタとを有する光配線盤において、請求項１〜４のいずれか１項に記載された光コネクタカバーを備えたことを特徴とする光配線盤である。
【発明の効果】
【００１５】
請求項１の発明によれば、可動カバーが開いた特定の光コネクタのみをアダプタから取外すことが可能となるので、誤って特定の光コネクタを取外すことはなくなり、作業の信頼性を高めることができる。また、粘着テープによるマーキングも不要となるので、光コネクタに曲げ荷重が作用することもなく、作業に伴う通信機能の障害発生を防止することができる。また、可動カバーの幅は光コネクタのサイズに応じて調整可能であるので、サイズが異なる場合であっても光コネクタカバーを共用することができ、光コネクタカバーの製作コストを低減することができる。
【００１６】
請求項２および３に記載の発明によれば、仕切り壁によって複数の光コネクタが水平方向および垂直方向に区画されるので、光コネクタの誤接続を確実に防止することができる。
【００１８】
請求項４に記載の発明によれば、可動カバーの上面に名札が着脱可能に取付けられているので、作業対象となる光コネクタを瞬時に特定することができ、作業の迅速化が図れる。
【００１９】
請求項５に記載の発明によれば、光配線盤は請求項１から請求項５までのいずれか一つの光コネクタカバーを有するので、従来の光配線盤に比べて光コネクタの抜き差し作業に関する作業の信頼性や取り扱い機能を高めることができる。
【発明を実施するための最良の形態】
【００２０】
つぎに、この発明の実施の形態について図面を用いて詳しく説明する。
【００２１】
図１ないし図６は、この発明の実施の形態を示している。図６は、光通信の一例を示しており、総括局１００には端局装置１００ａおよび光伝送装置１００ｂが配置されている。端局装置１００ａと接続された光伝送装置１００ｂは、光ケーブルＣを介して例えば中心局１０１に配置された別の光伝送装置１０１ａに接続されている。この光伝送装置１０１ａは、中心局１０１に配置された光配線盤１と接続されている。中心局１０１の光配線盤１は、光ケーブルＣを介して集線局１０２に配置されたさらに別の光伝送装置１０２ａに接続されている。集線局１０２の光伝送装置１０２ａには、中心局１０１と同様の光配線盤１が配置されている。集線局１０２の光配線盤１からは、光ケーブルＣが市街地に配置された電柱１０３に沿って延びており、光ケーブルＣは電柱１０３の近傍に設けられたクロージャー１０４においてその一部が分岐されている。
【００２２】
クロージャー１０４において光ケーブルＣから分岐された光ケーブルＣ１は、架空引き込みにより顧客側のビル１０５に配置された光配線箱１０６に接続されている。さらに、クロージャー１０４において光ケーブルＣから分岐された別の光ケーブルＣ２は、地中引き込みにより光配線箱１０６に接続されている。光配線箱１０６からの光ケーブルＣ３は、ビル１０５の４階のオフィスに配置された光成端箱１０７に接続されている。光成端箱１０７には、光コード（光ファイバ心線）Ｃ５を介してネットワーク回線終端装置（ＮＣＴＥ）１０９が接続されている。光配線箱１０６からの光ケーブルＣ４は、ビル１０５の１階のオフィスに配置された光成端箱１０８に接続されている。光成端箱１０８には、光コード（光ファイバ心線）Ｃ６を介してネットワーク回線終端装置（ＮＣＴＥ）１１０が接続されている。
【００２３】
図１は、図６における光配線盤１の詳細を示している。光配線盤１は、上下方向に区画された複数の棚２を有している。各棚２には、トレイ３が矢印方向に引出し可能に収納されている。トレイ３は、四角形の収納箱であり上部が開放されている。トレイ３内には、引出し方向に延びる支持板４が取付けられている。支持板４は、帯状の金属板から構成されており、両端部がトレイ３に固定されている。支持板４には、アダプタ６を取付けるための複数の穴（図示略）が形成されている。この実施の形態においては、支持板４には８個のアダプタ６が取付けられており、各アダプタ６はトレイ３の引出し方向に所定の間隔をもって配設されている。図２に示すように、アダプタ６には右側に第一の差込口６ａが形成されており、左側に第二の差込口６ｂが形成されている。第一の差込口６ａおよび第二の差込口６ｂには、光コネクタ７の差込状態を確認するためのスリット６ｃが形成されている。アダプタ６は、軸方向中央部に形成されたフランジ６ｄに挿通されたネジ６ｅを介して支持板４に固定されている。
【００２４】
アダプタ６の第一の差込口６ａおよび第二の差込口６ｂには、光ファイバ８の終端に接続される光コネクタ７が差し込み可能となっており、光コネクタ７はアダプタ６に対して着脱可能となっている。アダプタ６は、第一の差込口６ａに差し込まれた一方の光コネクタ７と第二の差込口６ｂに差し込まれた他方の光コネクタ７とを光学的に接続する機能を有している。図３に示すように、この実施の形態の光配線盤１においては、アダプタ６が上下方向に２個配設される二段重ね構造を採用しており、上下のアダプタ６に差し込まれた光コネクタ７同士がペアになることにより一つの回線を構成している。光コネクタ７と接続される光ファイバ８は、余長部がトレイ３内に設けられた複数の保持具５によって保持されており、光ファイバ８の余長部の先は光配線盤１の奥側に延びている。
【００２５】
トレイ３内には、複数の光コネクタ７を覆う光コネクタカバー２０が設けられている。光コネクタカバー２０は、支持板４の長手方向に対して平行に延びる細長い長方形をしており、板状の樹脂部材から構成されている。光コネクタカバー２０は、光コネクタ７のアダプタ６への差込状態を外部から確認できるように透明または半透明なプラスチックから構成するのが望ましい。光コネクタカバー２０の裏面には、アダプタ６の配設方向に延びる直線状のＶ字状溝２０ａが形成されている。光コネクタカバー２０には、光コネクタ７の数に応じてアダプタ６の配設方向に分割された複数の可動カバー２１が形成されている。可動カバー２１は、可動部２１ａと固定部２１ｂとを有しており、可動部２１ａと固定部２１ｂはＶ字状溝２０ａによって区画されている。固定部２１ｂは、上段側のアダプタ６の直上に位置しており、アダプタ６の上面に接着などにより固定されている。詳しくは、光コネクタ７がアダプタ６に装着された状態では、光コネクタ７の上面突起７ａがアダプタ６のスリット６ｃに進入しており、光コネクタ７の上面突起７ａがアダプタ６の上面から若干突出するので、固定部２１ｂの端部には光コネクタ７の上面突起７ａを逃がすための段差が形成されている。可動部２１ａは、光コネクタ７の直上に位置しており、Ｖ字状溝２０ａを中心として上下方向に揺動可能となっている。この実施の形態においては、８個のアダプタ６が二段重ね状態で配設されており、各可動カバー２１は各アダプタ６に差し込まれた光コネクタ７毎に開閉可能となっている。
【００２６】
各可動カバー２１の可動部２１ａの上面には、例えば光通信回線の名称を記載した名札２２が着脱可能に取付けられている。可動部２１ａには、名札２２が容易に離脱しないよう、名札２２を保持するための保持部（図示略）を形成するのが望ましい。なお、光コネクタカバー２０は、アダプタ６の第二の差込口６ｂ側でも光コネクタ７の抜き差しが行われることから、図１に示すように支持板４の左側にも設けられている。この実施の形態においては、光コネクタカバー２０を固定する方法として、固定部２１ｂを上段側のアダプタ６の上面に接合する構成を採用したが、ネジを介して固定部２１ｂを支持板４に固定する構成としてもよい。また、図４に示すように、光コネクタ７の誤接続を確実に防止するため、各光コネクタ７水平方向にそれぞれ区画する第一の仕切り壁２５を形成し、さらに各光コネクタ７を垂直方向にそれぞれ区画する第二の仕切り壁２６を形成するのが望ましい。
【００２７】
図５は、光コネクタカバー２０の変形例を示している。光コネクタ７のサイズが異なる場合や光コネクタ７の配設数が増加する場合は、図５に示すように、光コネクタカバー２０に予め多数のミシン目２１ｄを形成しておき、光コネクタ７のサイズや数に応じて可動カバー２１の幅Ｗを調整することが可能な構成としてもよい。
【００２８】
つぎに、この実施の形態の光コネクタカバーおよび光コネクタカバーを用いた光配線盤における作用について説明する。
【００２９】
光ケーブルの断線や光通信速度の変更の際には、光配線盤１内における光コネクタ７の抜き差しが頻繁に行われる。光コネクタ７を抜き差しする場合は、図１に示すように、まず光配線盤１の棚２に収納されているトレイ３を矢印方向に引出す。トレイ３が引出された状態では、すべての可動カバー２１が閉じており、各光コネクタ７は可動カバー２１によって覆われている。作業開始に際しては、各可動カバー２１の上面には通信回線名などを記載した名札２２が取付けられているので、作業対象となる光コネクタ７を素早く特定することができる。
【００３０】
つぎに、抜き差し作業の対象となる光コネクタ７に対応する可動カバー２１の可動部２１ａの端部を持ち上げることにより、可動部２１ａは図３に示すようにＶ字状溝２０ａを中心として矢印方向に揺動し、可動カバー２１は開いた状態となる。この状態では、作業の対象となる光コネクタ７の可動カバー２１のみが開いているので、間違うことなく作業対象の光コネクタ７のみをアダプタ６から引抜くことができる。この引抜かれた光コネクタ７が接続される光ケーブル８の通信機能の確認作業が終了すると、この光コネクタ７はアダプタ７に差し込まれる。その後、この光コネクタ７に対応する開いた状態にある可動カバー２１の可動部２１ａを下方に押圧することにより、可動カバー２１は再び閉じた状態となる。これと同様の抜き差し作業は、必要に応じて別の光コネクタ７についても行われる。そして、すべての光コネクタ７の抜き差し作業が完了した状態では、すべての可動カバー２１が閉じた状態となり、この状態でトレイ３を図１の矢印方向と反対方向に押し戻すことにより、トレイ３を棚２に収納する。
【００３１】
このように、可動カバー２１を開いた状態にすることにより、作業対象となる特定の光コネクタ７のみをアダプタ６から間違いなく取外すことが可能となるので、誤って特定の光コネクタ７を取外すことはなくなり、作業の信頼性を高めることができる。また、従来のように、粘着テープによるマーキングも不要となるので、光コネクタ７に曲げ荷重が作用することもなく、作業に伴う通信機能の障害発生を防止することができる。
【００３２】
以上、この発明の実施の形態を詳述してきたが、具体的な構成はこの実施の形態に限られるものではなく、この発明の要旨を逸脱しない範囲の設計の変更等があっても、この発明に含まれる。例えば、実施の形態においては、光コネクタ７が差し込まれるアダプタ６を上下方向に二段で配置する構成としているが、アダプタ６を単なる一段とする構成でもよい。また、可動カバー２１は、光コネクタカバー２０の裏面に形成されたＶ字状溝２０ａを中心として揺動可能とする構成としたが、軸を中心として可動カバー２１を開閉させる構成としてもよい。
【図面の簡単な説明】
【００３３】
【図１】本発明の実施の形態に係わる光コネクタカバーを用いた光配線盤におけるトレイの平面図である。
【図２】図１の光コネクタカバーの取付け状態を示す拡大平面図である。
【図３】図２の側面図である。
【図４】図１の光コネクタカバーに光コネクタを区画する仕切り壁を設けた場合の斜視図である。
【図５】図１の光コネクタカバーの変形例を示す平面図である。
【図６】図１の光コネクタカバーを用いた光配線盤が使用される光通信網の系統図である。
【図７】従来の光配線盤におけるトレイの平面図である。
【図８】図７の光配線盤における光コネクタ取り外し作業方法を示す平面図である。
【符号の説明】
【００３４】
１          光配線盤
２          棚
３          トレイ
４          支持板
６          アダプタ
６ａ        第一の差込口
６ｂ        第二の差込口
７          光コネクタ
８          光ファイバ
２０        光コネクタカバー
２０ａ      Ｖ字状溝
２１        可動カバー
２１ａ      可動部
２１ｂ      固定部
２２        名札
２５        第一の仕切り壁
２６        第二の仕切り壁
【図１】
0005072610.tif 000002
【図２】
0005072610.tif 000003
【図３】
0005072610.tif 000004
【図４】
0005072610.tif 000005
【図５】
0005072610.tif 000006
【図６】
0005072610.tif 000007
【図７】
0005072610.tif 000008
【図８】
0005072610.tif 000009